(57)【特許請求の範囲】
【請求項１】
鋸身の長手方向側縁に複数の鋸歯を配列してなる手鋸であって、前記鋸歯はその形状を角柱状とした角柱状歯に構成すると共に、各角柱状歯は、少なくとも隣接する角柱状歯において、前記鋸身の長手方向側縁の縁面からの立ち上がり角度が同角度になるように構成し、よって隣接する各角柱状歯間の隙間が歯の立ち上がり方向に一定となるように構成したものにおいて、
前記角柱状歯は三角柱状歯とし、
各三角柱状歯は、その柱の３つの側辺のうちの２つの側辺を前記鋸身の表裏の１側面に面一に立ち上がる面一側面の両側辺として構成すると共に残る１つの側辺を前記鋸身の表裏の他の１側面に面一に立ち上がる側辺として構成し、
各三角柱状歯は、前記面一側面が鋸身の表裏の各側面に対して交互に位置するように三角柱状歯の向きを左右交互に変更して配列し、
各三角柱状歯の先端には、該三角柱状歯を斜めにカットしてなる先端傾斜カット面を構成すると共に該先端傾斜カット面が鋸身の表裏両側面に跨る傾斜三角形となるように構成し、
各三角柱状歯の前記面一側面に属する側辺に縦刃を構成し、
各三角柱状歯の前記先端傾斜カット面に属する縁辺の内、前記面一側面に属さない縁辺に横刃を構成した、ことを特徴とする手鋸。
【請求項２】
三角柱状歯は二等辺三角柱状歯としたことを特徴とする請求項１に記載の手鋸。
【請求項３】
三角柱状歯は、直角柱状歯若しくは斜角柱状歯とすることを特徴とする請求項１又は２に記載の手鋸。
【請求項４】
三角柱状歯の立ち上がり角度における同角度とは、±１０度以内の差を含めるものとし、各三角柱状歯間の隙間の立ち上がり方向における一定とは、角度２０度以内の拡大と角度２０度以内の縮小を含めるものとすることを特徴とする請求項１〜３の何れかに記載の手鋸。
【請求項５】
三角柱状歯の立ち上がり角度における同角度とは、±５度以内の差を含めるものとし、各三角柱状歯間の隙間の立ち上がり方向における一定とは、角度１０度以内の拡大と角度１０度以内の縮小を含めるものとすることを特徴とする請求項４に記載の手鋸。
【請求項６】
各三角柱状歯の各側面における両側辺は、それぞれ相互に平行若しくは平行から±１０度以内の交差角をもって立ち上がるように構成したことを特徴とする請求項１〜５の何れかに記載の手鋸。
【請求項７】
各三角柱状歯の各側面における両側辺は、それぞれ相互に平行若しくは平行から±５度以内の交差角をもって立ち上がるように構成したことを特徴とする請求項６に記載の手鋸。
【発明の詳細な説明】
【技術分野】
【０００１】
本発明は手鋸に関する。
【背景技術】
【０００２】
鋸の歴史は古く、手鋸はその当初より今日に至るまで多くの人に利用されている。
一方、電動鋸は比較的近年に開発されたもので、電動力を用いた圧倒的な馬力で木等の切断を行う電動具である。エンジンを用いたチェーンソーも同様である。前記電動鋸等の圧倒的パワーを備えた、いわゆる動力鋸と、そのような動力を用いずに人の力だけで切断を行う手鋸とは、何れも切断歯を用いている点は同じであるものの、実際には、それらの構成や機能に関する考え方が大きく異なっており、実質的に技術分野を異にしている。【０００３】
図１２に手鋸の一例を示す。手鋸は、一般に持手と呼ばれるグリップ部１の先に細長い金属製の鋸身２が取り付けられた構成からなり、この鋸身２の長手方向側縁に多数の歯３が配列された構成とされている。
図１０（Ａ）、（Ｂ）に示す手鋸は、いわゆる縦挽き鋸の一例を示す。縦挽き鋸は木を木目の方向に沿って切るのに適した鋸である。この縦挽き鋸は、鋸身２の長手方向側縁に多数の三角歯３を配列し、その三角歯３の先端を刃先Ｐとして、切断を行うものである。各三角歯３の裾は隣接する三角歯３の裾とで谷Ｖを構成している。
図１１（Ａ）、（Ｂ）に示す手鋸は、いわゆる横挽き鋸の一例を示す。横挽き鋸は木を木目方向に交差して切るのに適した鋸である。この横挽き鋸は、鋸身２の長手方向側縁に形成された各三角歯３の先端の前後一対の傾斜部に「ヒガキ」と称される尖った縦刃３ａ、３ｂを構成している。切断方向Ｄに対して前にあるのが符号３ａで示す縦刃で、切断方向Ｄに対して後方にあるのが符号３ｂで示す縦刃である。
縦刃３ａ、３ｂは、ナイフの如く木に切り込み、木目を切断する。各隣接する三角歯３の裾は谷Ｖを構成している。
また横挽き鋸には、三角歯３の先端付近を斜めにカットして、「上目」と称される先端カット面４を構成し、その先端カット面４の前後縁を横刃４ａ、４ｂとしたものが知られている。この先端カット面４と横刃４ａ、４ｂは、縦挽き鋸の機能を果たすことができるもので、木を切断する際に鋸身２の肉厚に対応する木材部分をノミのようにすくい、削り取る機能を果たす。【０００４】
実開平６−７１１０１号公報（特許文献１）には、三角歯（１１）〜（１８）が交互に向き合って配列された構成の他、上目（１１ａ）〜（１８ａ）も構成された手びき鋸が開示されている。この手びき鋸は、上述した図９に示す横挽き鋸と同様の鋸である。
また特開２００３−１１７９０３号公報（特許文献２）には、切りくずが鋸の両側面と樹木の切断面との間に詰まるのを解消する目的で、切断刃（２）の外側面に凹部（１０）をからなる切りくずの貯留部（７）を設けた鋸刃が開示されている。
また特開２０１３−５２５７５号公報（特許文献３）には、切粉が詰まり難くする目的で、隣り合う歯（３）、（３）の基部（３Ｂ）、（３Ｂ）が、円弧状溝底面（２０）を介して分離状に形成された鋸刃が開示されている。
【先行技術文献】
【特許文献】
【０００５】
【特許文献１】実開平６−７１１０１号公報
【特許文献２】特開２００３−１１７９０３号公報
【特許文献３】特開２０１３−５２５７５号公報
【発明の概要】
【発明が解決しようとする課題】
【０００６】
しかしながら上記特許文献１の手びき鋸は、図１１に示す手鋸の場合と同様に、三角歯からなる構成であるため、隣接する三角歯間の谷（Ｖ）（図１１参照）がその谷底に向けて大きくＶ字状に窄む構成とならざるを得ない。このため、この窄まった谷に切粉が押し詰まり、作業が進むにつれて切れ味が次第に悪くなるという基本的な問題があった。
上記特許文献２の鋸刃の場合は、鋸の両側面と樹木の切断面との間に切くずが詰まるのを解消することはできるが、やはり三角歯間の窄まった谷には切くずが詰まり易く、作業中に次第に切れ味が悪くなってしまう問題が残る。
上記特許文献３の鋸刃の場合は、円弧状溝底面（２０）の存在により切粉がその分だけ詰まり難くなるが、やはり三角歯を用いている限り谷の窄まりは残り、切粉の詰まりが十分には解消されない。
また特許文献３の鋸刃の場合は、円弧状溝底面（２０）の円弧を大きく構成するために、なげし部（７Ａ）、（７Ｂ）の面取り角度（なげし部の刃先角度）をかなり鋭角にする必要があり、結果として各歯（３）の厚みが薄くなって、強度が低下する問題が生じる。更になげし部（７Ａ）、（７Ｂ）の刃先角度の鋭角がきついので、上目部（８）の面積が非常に小さくならざるを得ない問題がある。【０００７】
更に三角歯についての基本的問題点に言及する。手鋸の三角歯は、古くから踏襲されてきた鋸歯の形であり、鋸歯と言えば三角歯が常識であった。
しかしながら三角歯を用いた手鋸では、既述したように、三角歯間に窄まった谷が存在し、切粉が詰まり易くなるという基本的問題がある。
また三角歯を用いる手鋸では、各歯の先端にある刃先の鋸身の長手方向のピッチが長く疎になり易いという基本的な問題がある。そのピッチを小さくするため三角歯をより密に並べて配置すると、各三角歯間の谷の重なりが増し、切粉が詰まり易くなって切れ味の低下につながる。一方、三角歯の配置間隔を疎にすると、三角歯間の谷の重なりが減少して切粉の詰まりは軽減されるが、各刃先のピッチがますます長く疎になって、切れ味自体が悪くなる。
また三角歯の場合、歯の裾は広いが、先端部は尖るように狭くなる。このため先端部を斜めにカットしてなる「上目」（先端カット面４（図１１参照））の面積もまた非常に小さくなり易い。このような小さい面積の上目（先端カット面４）では削り幅が鋸身の幅より小さく、よって削り残しが生じ易く、切れ味が上がらない問題がある。【０００８】
そこで本発明は上記従来技術の種々の問題点を解消し、三角歯という従来から踏襲されてきた歯形を持つ手鋸の常識を覆すことで、切粉の詰まりを劇的に解消し、且つ刃先のピッチを疎にすることなく密に維持することを可能とし、また「上目」と称される歯の先端傾斜カット面の面積を大きく確保することを可能とし、よって切粉の詰まりによる切れ味の低下を十分に防止することができると共に、切れ味そのものの大幅な向上を図ることができる手鋸の提供を課題とする。
【課題を解決するための手段】
【０００９】
上記課題を達成するため本発明の手鋸は、鋸身の長手方向側縁に複数の鋸歯を配列してなる手鋸であって、前記鋸歯はその形状を角柱状とした角柱状歯に構成すると共に、各角柱状歯は、少なくとも隣接する角柱状歯において、前記鋸身の長手方向側縁の縁面からの立ち上がり角度が同角度になるように構成し、よって隣接する各角柱状歯間の隙間が歯の立ち上がり方向に一定となるように構成したものにおいて、
前記角柱状歯は三角柱状歯とし、
各三角柱状歯は、その柱の３つの側辺のうちの２つの側辺を前記鋸身の表裏の１側面に面一に立ち上がる面一側面の両側辺として構成すると共に残る１つの側辺を前記鋸身の表裏の他の１側面に面一に立ち上がる側辺として構成し、
各三角柱状歯は、前記面一側面が鋸身の表裏の各側面に対して交互に位置するように三角柱状歯の向きを左右交互に変更して配列し、
各三角柱状歯の先端には、該三角柱状歯を斜めにカットしてなる先端傾斜カット面を構成すると共に該先端傾斜カット面が鋸身の表裏両側面に跨る傾斜三角形となるように構成し、
各三角柱状歯の前記面一側面に属する側辺に縦刃を構成し、
各三角柱状歯の前記先端傾斜カット面に属する縁辺の内、前記面一側面に属さない縁辺に横刃を構成した、ことを第１の特徴としている。
また本発明の手鋸は、上記第１の特徴に加えて、三角柱状歯は二等辺三角柱状歯としたことを第２の特徴としている。
また本発明の手鋸は、上記第１又は第２の特徴に加えて、三角柱状歯は、直角柱状歯若しくは斜角柱状歯とすることを第３の特徴としている。
また本発明の手鋸は、上記第１〜第３の何れかの特徴に加えて、三角柱状歯の立ち上がり角度における同角度とは、±１０度以内の差を含めるものとし、各三角柱状歯間の隙間の立ち上がり方向における一定とは、角度２０度以内の拡大と角度２０度以内の縮小を含めるものとすることを第４の特徴としている。
また本発明の手鋸は、上記第４の特徴に加えて、三角柱状歯の立ち上がり角度における同角度とは、±５度以内の差を含めるものとし、各三角柱状歯間の隙間の立ち上がり方向における一定とは、角度１０度以内の拡大と角度１０度以内の縮小を含めるものとすることを第５の特徴としている。
また本発明の手鋸は、上記第１〜第５の何れかの特徴に加えて、各三角柱状歯の各側面における両側辺は、それぞれ相互に平行若しくは平行から±１０度以内の交差角をもって立ち上がるように構成したことを第６の特徴としている。
た本発明の手鋸は、上記第６の特徴に加えて、各三角柱状歯の各側面における両側辺は、それぞれ相互に平行若しくは平行から±５度以内の交差角をもって立ち上がるように構成したことを第７の特徴としている。
【発明の効果】
【００１０】
請求項１に記載の手鋸によれば、鋸身に配列される鋸歯が角柱状歯とされ、且つ各角柱状歯は、少なくとも隣接する角柱状歯において、前記鋸身の長手方向側縁の縁面からの立ち上がり角度が同角度にされることで、隣接する各角柱状歯間の隙間が歯の立ち上がり方向に一定にされる。このため、各歯間の隙間が歯の先端部から歯の裾部に向けて窄まるという従来の問題構造が解消され、切粉が窄まった歯間の隙間に押し詰まって切れ味が悪くなるという従来の欠点を完全に解消できる。
しかも鋸歯の形状が角柱状であるので、歯の裾部が広く歯の先端部が狭くなる従来の三角歯に比べて、歯の裾部から歯の先端部にかけての寸法が変わらない。よって従来の三角歯に比べて、角柱状歯では歯をより密に並べて配列することが可能となる。また従来の三角歯と比べて、角柱状歯では歯の先端部の面積をより広くすることが可能となる。これによって、鋸歯に形成される切刃の配列密度を増加させることができると共に、切刃自体の刃寸法を大きくすることが可能となり、切れ味そのものの大幅な向上を図ることができる。【００１１】
また請求項１に記載の手鋸によれば、角柱状歯は三角柱状歯とされる。そして三角柱状歯は、その三角柱状歯の面一側面が鋸身の表裏の側面に対して左右交互に配置されて、その左右交互に配置された面一側面に属する側辺に縦刃が構成される。この左右交互の縦刃によって、被切断体に対して左右一対の切り込み溝が切り込まれてゆく。また三角柱状歯の先端は斜めにカットしてなる先端傾斜カット面とされる。そしてその先端傾斜カット面の縁辺の内の面一側面に属さない縁辺に横刃が構成される。この横刃によって、被切断体がノミで削るように斜め水平方向にスライスされて削り取られる。
よって三角柱状歯を用いて、縦刃と横刃との組み合わせにより、効率よく被切断体の切断ができると共に、各歯間の隙間には切粉が詰まり難い、非常に切れ味のよい手鋸を提供することができる。
【００１２】
また請求項１に記載の手鋸によれば、三角柱状歯は、その２つの側辺が鋸身の表裏の１側面との面一側面に属し、残る１つの側辺が鋸身の表裏の他の１側面と面一とされる。これによって、三角柱状歯の先端傾斜カット面は鋸身の表裏の側面に跨る大きな傾斜三角形となり、先端傾斜カット面の三角形の縁辺に構成される横刃は鋸身の表裏の側面に跨る長さの刃となる。従って鋸身の表裏に跨る大きな横刃による被切断体の斜め水平方向の効率のよいスライス削りが期待され、鋸身の厚み内に削り残しが生じない、非常に切れ味のよい手鋸を提供できる。
【００１３】
また請求項２に記載の手鋸によれば、上記請求項１に記載の構成による作用効果に加えて、三角柱状歯は二等辺三角柱状歯としたので、隣接する三角柱状歯において、相互に対向する側面同士を平行に配置することが可能となる。よって隣接する三角柱状歯の隙間は、鋸歯の立ち上がり方向に一定となるだけではなく、立ち上がり方向に直角な方向にも一定となるようにすることができる。これにより安定した切断作業、切れ味を確保することができる。
【００１６】
また請求項３に記載の手鋸によれば、上記請求項１又は２に記載の構成による作用効果に加えて、三角柱状歯を直角柱状歯若しくは斜角柱状歯にすることで、各三角角柱状歯が鋸身の側縁の縁面から直角柱として真っ直ぐ立ち上がるようにした手鋸の他、各角柱状歯が鋸身の側縁の縁面から斜角柱として斜めに立ち上がるようにした手鋸に対しても、切粉が詰まらず、且つ切れ味がよいものを提供することができる。
【００１７】
また請求項４に記載の手鋸によれば、上記請求項１〜３の何れかに記載の構成による作用効果に加えて、隣接する三角柱状歯の立ち上がり角度は同角度とするが、この同角度には±１０度以内の差を含むものとする。そしてこの三角柱状歯の立ち上がり角度の±１０度以内の差に基づいて、各三角柱状歯間の歯の立ち上がり方向における隙間が一定とは、角度２０度以内の拡大と角度２０度以内の縮小を許容範囲に含めて一定とすることができる。各三角柱状歯間の隙間が、立ち上がり方向に角度として２０度以内で拡大し或いは縮小しても、その程度の範囲内では、切粉が歯間隙間へ押し詰まるという悪影響は生じず、鋸の切れ味に悪影響を及ぼさない。
【００１８】
また請求項５に記載の手鋸によれば、上記請求項４に記載の構成による作用効果に加えて、各三角柱状歯の立ち上がり角度は±５度以内の差を含んで同角度とされる。そしてこれに基づけば、歯の立ち上がり方向における各三角柱状歯間の隙間は、角度１０度以内の許容範囲で拡大或いは縮小することが許容される。各三角柱状歯間の隙間の変化が、立ち上がり方向に角度１０度の許容範囲内にあれば、切粉の歯間隙間への押し詰まりを十分効果的に防止することができ、鋸の切れ味を十分良好に保持することができる。
【００１９】
また請求項６に記載の手鋸によれば、上記請求項１〜５の何れかに記載の構成による作用効果に加えて、各三角柱状歯はその各側面における両側辺が平行に立ち上がるか、平行から±１０度以内の交差角で傾いて立ち上がる場合が許容される。各三角柱状歯の角柱がこのような１０度以内の範囲で立ち上がり方向に縮小し或いは拡大しても、その程度の範囲内に収まる場合は、三角柱状歯としての形状の特徴を発揮することができ、切粉が歯間の隙間へ押し詰まるという悪影響は生じず、鋸の切れ味に悪影響を及ぼさない。
【００２０】
また請求項７に記載の手鋸によれば、上記請求項６に記載の構成による効果に加えて、各三角柱状歯はその各側面における両側辺が平行に立ち上がるか、平行から±５度以内の交差角で傾いて立ち上がる場合が好ましい。三角柱状歯の角柱の立ち上がり方向への縮小或いは拡大が、５度以内の範囲に収まる場合には、三角柱状歯としての形状の特徴を十分に発揮することができ、切粉の歯間の隙間への押し詰まりを十分効果的に防止することができ、鋸の切れ味を十分良好に保持することができる。
【図面の簡単な説明】
【００２１】
【図１】本発明の第１実施形態に係る手鋸を示す正面図である。
【図２】本発明の第１実施形態に係る手鋸の詳細を示し、（Ａ）は平面図、（Ｂ）は正面図である。
【図３】本発明の第１実施形態に係る手鋸の詳細を示す斜視図である。
【図４】本発明の第１実施形態に係る手鋸の鋸歯を示し、（Ａ）は平面図、（Ｂ）は正面方向から見た斜視図である。
【図５】本発明の第１実施形態に係る手鋸の鋸歯の各部の寸法関係を示す図である。
【図６】本発明の第２実施形態に係る手鋸の詳細を示し、（Ａ）は平面図、（Ｂ）は正面図である。
【図７】本発明の第３実施形態に係る手鋸の詳細を示し、（Ａ）は平面図、（Ｂ）は正面図である。
【図８】本発明の第４実施形態に係る手鋸の詳細を示し、（Ａ）は三角柱状歯の平面図、（Ｂ）は台形柱状歯の平面図である。
【図９】本発明の第５実施形態に係る手鋸の詳細を示し、（Ａ）は三角柱状歯の平面図、（Ｂ）は台形柱状歯の平面図である。
【図１０】従来の縦挽き鋸の一例を示し、（Ａ）は平面図、（Ｂ）は正面方向から見た斜視図である。
【図１１】従来の横挽き鋸の一例を示し、（Ａ）は平面図、（Ｂ）は正面図である。
【図１２】従来の手鋸の一例を示す図である。
【発明を実施するための形態】
【００２２】
以下の図面を参照して、本発明の実施形態に係る手鋸を説明する。
先ず図１〜図５を参照して第１実施形態を説明する。
図１において、手鋸はグリップ部１０と鋸身２０と鋸歯３０とを有する。なお、グリップ部１０は図面上、一部を省略している。
手鋸は鋸身２０をグリップ部１０に折り畳むことができる折り畳み式の手鋸として示しているが、必ずしも折り畳み式である必要はなく、あらゆる手鋸が対象となる。
手鋸は、いわゆる片刃鋸として、鋸歯３０が鋸身２０の片側の長手方向側縁２１に配列されている。勿論、鋸身２０の両側の長手方向側縁２１に鋸歯３０を配列した両刃鋸であってもよい。
また図１に示す手鋸は、引き鋸として構成されているが、押し鋸であってもよい。
【００２３】
図２〜図５も参照して、前記鋸歯は、第１実施形態では角柱状歯３０として構成されている。
角柱状歯３０は鋸身２０の長手方向側縁２１の縁面２１ａから立ち上がるように構成されている。
各角柱状歯３０は、前記縁面２１ａから同じ方向に立ち上がるように、立ち上がり角度θを一定に構成している。この第１実施形態に示す角柱状歯３０の立ち上がり角度θは９０度で、垂直である。各角柱状歯の立ち上がり角度θは、一定であれば、垂直でなくても、斜めに傾斜していてもよい。
各角柱状歯３０の立ち上がり角度θを一定にすることで、各隣接する角柱状歯３０間の隙間Ｓが角柱状歯の立ち上がり方向に一定となる。これにより各歯間の隙間が歯の先端部から歯の裾部に向けて窄まるという従来の問題構造が解消される。よって、切粉が窄まって歯間の隙間に押し詰まって切れ味が悪くなるという従来の欠点を完全に解消できる。
ところで、各隣接する角柱状歯３０間の隙間Ｓが角柱状歯の立ち上がり方向に一定となるようにするためには、少なくとも隣接する角柱状歯３０、３０の鋸身２０の長手方向側縁２１の縁面２１ａからの立ち上がり角度θが同角度であればよい。隣接する角柱状歯３０、３０の立ち上がり角度θが同じであれば、両角柱状歯３０、３０間の隙間Ｓは歯の立ち上がり方向に一定となり、歯間の隙間が歯の先端部から歯の裾部に向けて窄まるという欠点が解消される。
なお上記において、立ち上がり角度θにおける一定とは、厳密な意味での一定値に限定される意味ではない。同様に、立ち上がり角度θにおける同角度とは、厳密な意味での同角度である必要はない。また隣接する角柱状歯３０間の隙間Ｓにおける一定についても、厳密な意味での一定である必要はない。発明の目的、機能、効果に基づいて許容される多少の増減を含む概念である。この点については後述する。
【００２４】
第１実施形態の角柱状歯３０は、三角柱からなる三角柱状歯とする。
三角柱状歯３０は、鋸身２０の長手方向側縁２１の縁面２１ａから立ち上がる３つ側辺３０ａ、３０ｂ、３０ｃと、３つの側面３１、３２、３３を備える。
また三角柱状歯３０の先端には、三角柱を斜めにカットしてなる先端傾斜カット面３４を備える。
先端傾斜カット面３４は３つの縁辺３４ａ、３４ｂ、３４ｃを備える。縁辺３４ａは前記側面３１の上辺に対応し、縁辺３４ｂは前記側面３２の上辺に対応し、縁辺３４ｃは前記側辺３３の上辺に対応する。
【００２５】
三角柱状歯３０は、その１側面を前記鋸身２０の表側面２０ａと裏側面２０ｂの両側面のうちの何れか１側面２０ａ、２０ｂに対して面一に立ち上がる面一側面３１として構成している。
各三角柱状歯３０は、前記面一側面３１が鋸身２０の表側面２０ａと裏側面２０ｂとに対して交互に面一の位置をとるように、三角柱状歯３０の向きを左右交互に変更して配列する構成にされている。
各三角柱状歯３０の前記面一側面３１に対向する角（側辺３０ｂ）が、鋸身２０の長手方向において、前記面一側面３１の両側辺３０ａ、３０ｃの中間位置に位置するように構成される。言い換えれば、各三角柱状歯３０の三角の形状は、面一側面３１に隣接する側面３２、３３の各交差角α１、α２が何れも９０度未満となるような形状とする。
第１実施形態に係る三角柱状歯３０の場合は、前記交差角α１、α２が何れも９０度未満の同じ角度とし、三角形が左右対称の二等辺三角形からなる二等辺三角柱状歯として構成されている。
角柱状歯を二等辺三角柱状歯３０とすることで、この二等辺三角柱状歯３０を鋸身２０の長手方向側縁２１に左右交互に向きを変えて配置したときに、各隣接する二等辺三角柱状歯３０、３０の対向する側面３２と側面３３とが、平面視において平行となる。即ち、隣接する二等辺三角柱状歯３０間の隙間Ｓを、平面視（立ち上がり方向に直角な方向にもおいて）で一定となるようにすることができる。
【００２６】
各三角柱状歯３０は、その面一側面３１に属する側辺３０ａ、３０ｃのうち、切断方向Ｄの前方に位置する長寸法の側辺３０ａに前縦刃ＶＥ１が構成され、切断方向Ｄの後方の短寸法の側辺３０ｃに後縦刃ＶＥ２が構成されている。
ここで、切断方向Ｄは、引き鋸の場合は鋸を引く方向である。押し鋸の場合は鋸を押す方向である。
前縦刃ＶＥ１の刃角（側面３１と側面３２との交差角α１）、及び後縦刃ＶＥ２の刃角（側面３１と側面３３との交差角α２）は、共に９０度未満の鋭角とするが、４５度以下の鋭角であるのが好ましい。
前縦刃ＶＥ１は、鋸身２０が切断方向Ｄに移動する際に、被切断体にＶ字状の溝を切り込んでいく主たる縦刃である。後縦刃ＶＥ２は、鋸身２０が切断方向Ｄとは逆方向に戻る際に、被切断体にＶ字状の切り込みを行うことができる刃であるが、前縦刃ＶＥ１に対して従たる縦刃である。
【００２７】
各三角柱状歯３０は、その先端に構成される先端傾斜カット面３４に属する３つの縁辺３４ａ、３４ｂ、３４ｃの内、前記面一側面３１に属さず且つ切断方向Ｄの前方に位置する縁辺３４ｂに前横刃ＨＥ１が構成され、前記面一側面３１に属さず且つ切断方向Ｄの後方に位置する縁辺３４ｃに後横刃ＨＥ２が構成されている。
前横刃ＨＥ１の刃角は先端傾斜カット面３４と前縦刃ＶＥ１の刃面を構成する側面３２との交差角となる。この交差角は９０度未満とする。前横刃ＨＥ１と前記前縦刃ＶＥ１とは三角柱状歯３０の刃先Ｐで合流する。
前横刃ＨＥ１は、鋸身２０が切断方向Ｄに移動する際に、被切断体の表面をノミで削るように斜め水平方向にスライスして削る。後横刃ＨＥ２は、鋸身２０が切断方向Ｄとは反対方向に移動する際に、切粉を被切断体の切溝から排出させるのに役立つ。
本実施形態では、先端傾斜カット面３４は前記刃先Ｐを頂点として一定の傾斜角度で斜め下方にカットして構成している。より具体的には、刃先Ｐから先端傾斜カット面３４の縁辺３４ａへの傾斜よりも、刃先Ｐから前横歯ＨＥ１を構成する縁辺３４ｂへの傾斜の方が急となるように斜め下方にカットして構成している。
勿論、刃先Ｐを頂点とする傾斜角度は、必要に応じて種々の角度を採用することができる。
また図示しないが、既述した先端傾斜カット面３４のカットの仕方とは異なる傾斜カット面を有する三角柱状歯を採用することも可能である。この様な異なる傾斜カット面の例として、刃先Ｐ（３０ａの先端）を頂点とせずに、側辺３０ｂの先端を頂点とし、この頂点である側辺３０ｂの先端から一定の傾斜角度で斜め下方にカットしてなる傾斜カット面（以下、異種の先端傾斜カット面とする）を挙げることができる。
この異種の傾斜カット面は、より具体的には、側辺３０ｂの先端から刃先Ｐ（３０ａの先端）へ向う縁辺３４ｂの傾斜よりも、側辺３０ｂの先端から縁辺３４ｃへの傾斜の方が急となるように構成している。
この異種の先端傾斜カット面を有する三角柱状歯（後述する台形柱状歯の場合も同様である）は、切粉を被切断体の切溝から排出する機能に長けていることから、上記の先端傾斜カット面３４を備えた三角柱状歯３０の配列のところどころに配置して用いることができる。
【００２８】
三角柱状歯３０で削り取られた切粉は、その三角柱状歯３０の側面３２とその前に隣接する三角柱状歯３０との間の隙間Ｓに一旦残留する。が、各三角柱状歯３０は柱状であり、歯３０の寸法が歯の裾から先端方向へと変化しない。しかも各三角柱状歯３０は、全てが同方向である垂直に立ち上がる等、その立ち上がり角度θが一定であり同方向に立ち上がる。従って各隣接する三角柱状歯３０間の隙間Ｓは、三角柱状歯３０の立ち上がり方向に一定となる。即ち各歯３０の隙間Ｓは、該隙間Ｓの底に至るまで十分な隙間が窄まることなく確保される。よって切粉が経時的に隙間Ｓの底に押し詰まるといった従来の欠点が完全に解消され、経時的な切粉の詰まりが実質的に生じない。よって、切粉の詰まりによる鋸の切れ味低下がなく、良好な切れ味を持続させることができる。
【００２９】
また三角柱状歯３０は柱状であり、寸法が歯の裾部から先端部へと減少しない。従って従来の三角歯に比べて、歯３０の先端部に形成される先端傾斜カット面３４を十分広い面積にし、その先端傾斜カット面３４に形成される横刃ＨＥ１、ＨＥ２の刃渡りを十分長く確保することができる。これにより横歯ＨＥ１、ＨＥ２によるスライスカットの幅を十分に広くして、スライスカットの切れ味を向上させることができる。
更に三角柱状歯３０は柱状であり、従来の三角歯に比べて、同じ面積の先端傾斜カット面３４を形成するのに、より歯裾寸法の小さいスリムな歯を用いることができる。よって、同じピッチで歯を配列する場合には、従来の三角歯の場合に比べて、三角柱状歯３０の場合の方が、先端傾斜カット面３４の面積を大きく、且つ各歯裾間の寸法も大きくすることができる。各歯裾間の寸法が大きいということは、切粉が詰まり難いと言うことである。先端傾斜カット面３４の面積が大きいということは、横刃ＨＥ１、ＨＥ２によるスライスカットの切れ味が大きいと言うことである。
一方、前記各歯間寸法を同じにした場合は、従来の三角歯に比べて三角柱状歯３０の方がより小さなピッチでより多くの歯を配列することができ、鋸の切れ味そのものをより向上させることができる。
【００３０】
また三角柱状歯３０を二等辺三角形状歯とすることで、各隣接する三角柱状歯３０における対向する側面３２、３３とが平面視で平行となり、よって隙間Ｓの寸法が立ち上がり方向に直角な方向へも一定となって、変化することがない。従って、その分だけ隙間Ｓ内での切粉の偏在が少なくなり、より安定した切断作業、切れ味が期待できる。
【００３１】
第１実施形態では、三角柱状歯３０は、その３つの側辺３０ａ、３０ｂ、３０ｃのうち２つの側辺３０ａ、３０ｃを鋸身２０の表裏の１側面２０ａ（２０ｂ）に面一に立ち上がる面一側面３１の両側辺とし、残る１つの側辺３０ｂを鋸身２０の残る１側面２０ｂ（２０ａ）と面一に立ち上がる側辺として構成している。これによって各先端傾斜カット面３４が鋸身２０の表裏両側面２０ａ、２０ｂに跨る傾斜三角形となるように構成している。
各先端傾斜カット面３４が鋸身２０の表裏両側面２０ａ、２０ｂに跨る傾斜三角形に構成されることで、各先端傾斜カット面３４に構成される横刃ＨＥ１、ＨＥ２が鋸身２０の表裏側面２０ａ、２０ｂ間の厚みを完全に横断する刃渡り（刃長）となる。
各先端傾斜カット面３４に構成される横刃ＨＥ１、ＨＥ２が鋸身２０の厚みを完全に横断することで、被切断体の切断作業に際して、各横刃ＨＥ１、ＨＥ２は鋸身２０の厚み方向の全域にわたって被切断体を削ることができる。
各横刃ＨＥ１、ＨＥ２が鋸身２０の厚み方向の過半未満で終わる長さの場合には、各横刃ＨＥ１、ＨＥ２は鋸身の厚み方向全域では被切断体を削ることができず、被切断体の一部に摩擦接触するだけの部分が残る傾向となる。このようなことは従来の三角歯の場合に多くあり、切れ味が悪くなり易く、切断効率が悪くなり易い。
各横刃ＨＥ１、ＨＥ２が鋸身２０の厚みの過半に至る長さの場合は、三角柱状歯３０の向きが交互に逆に変わることで、各横刃ＨＥ１、ＨＥ２は隣接する横刃と２個一対で鋸身２０の厚み方向の全域で被切断体を削り残しなく削ることができる。本発明の手鋸では先端傾斜カット面３４の面積を大きくし易く、各横刃ＨＥ１、ＨＥ２の長さを容易に鋸身２０の厚み方向の過半に至る長さとすることができる。但し、各横刃ＨＥ１、ＨＥ２が鋸身２０の厚み方向に横断するものが、切れ味の点でより好ましい。また歯の強度の点でもより好ましい。
【００３２】
図６を参照して、本発明の第２実施形態を説明する。
この第２実施形態の手鋸は、角柱状歯を台形柱状歯４０として構成している。
上記第１実施形態に係る三角柱状歯３０の底面形状は三角形である。この三角形は、底面に対向する１角をカットすることで台形となる。本第２実施形態はそのような台形柱状歯４０を、鋸身２０の長手方向側縁２１の縁面２１ａに配列している。
各台形柱状歯４０は、その柱の４つの側辺４０ａ、４０ｂ、４０ｃ、４０ｄのうちの２つの側辺４０ａ、４０ｃを鋸身２０の表裏の１側面２０ａ（２０ｂ）に面一に立ち上がる面一側面４１の両側辺として構成し、残る２側面４０ｂ、４０ｄを鋸身２０表裏の他の１側面２０ｂ（２０ａ）と面一に立ち上がる第２面一側面４５の両側辺として構成している。第２面一側面４５は面一側面４１に対して小面積である。
各台形状歯４０は前記面一側面４１、第２面一側面４５の他、２つの側面４２、４３を有する。
各台形柱状歯４０は鋸身２０の長手方向側縁２１の縁面２１ａから同じ方向に立ち上がるように、即ち立ち上がり角度θが一定となるように、構成されている。この第２実施形態に示す台形柱状歯４０の立ち上がり角度θは９０度で、垂直である。各台形柱状歯の立ち上がり角度θは、一定であれば、垂直でなくても、斜めに傾斜していてもよい。
【００３３】
台形柱状歯４０の先端には、台形柱を斜めにカットしてなる先端傾斜カット面４４を備える。
先端傾斜カット面４４は４つの縁辺４４ａ、４４ｂ、４４ｃ、４４ｄを備える。縁辺４４ａは前記面一側面４１の上辺に対応し、縁辺４４ｂは前記側面４２の上辺に対応し、縁辺４４ｃは前記側辺４３の上辺に対応し、縁辺４４ｄは前記第２面一側面４５に対応する。
各台形柱状歯４０は、前記面一側面４１が鋸身２０の表側面２０ａと裏側面２０ｂとに対して交互に面一の位置をとるように、歯の向きを左右交互に変更して配列する構成にされている。
各台形柱状歯４０の前記面一側面４１と隣接する側面４２、４３との各交差角α１、α２は何れも９０度未満となる。
【００３４】
第２実施形態に係る台形柱状歯４０の場合は、台形が左右対称の二等辺台形からなる二等辺台形柱状歯４０として構成されている。
二等辺台形柱状歯４０とすることで、この二等辺台形柱状歯４０を鋸身２０の長手方向側縁２１に左右交互に向きを変えて配置したときに、各隣接する二等辺台形柱状歯４０、４０の対向する側面４２と側面４３とが、平面視において平行となる。即ち、隣接する二等辺台形柱状歯４０間の隙間Ｓを、平面視で（立ち上がり方向に直角な方向にもおいて）一定となるようにすることができる。
【００３５】
各台形柱状歯４０は、その面一側面４１に属する側辺４０ａ、４０ｃのうち、切断方向Ｄの前方に位置する長寸法の側辺４０ａに前縦刃ＶＥ１が構成され、切断方向Ｄの後方の短寸法の側辺４０ｃに後縦刃ＶＥ２が構成されている。前縦刃ＶＥ１の刃角（側面４１と側面４２との交差角α１）、及び後縦刃の刃角（側面４１と側面４３との交差角α２）は、共に９０度未満の鋭角とするが、４５度以下の鋭角であるのが好ましい。
後縦刃ＶＥ２は、鋸身２０が切断方向Ｄとは逆方向に戻る際に、被切断体にＶ字状の切り込みを行うことができる刃であるが、前縦刃ＶＥ１に対して従たる縦刃である。
各台形柱状歯４０の先端に構成される先端傾斜カット面４４の縁辺４４ｂに前横刃ＨＥ１が構成され、縁辺４４ｃに後横刃ＨＥ２が構成されている。前横刃ＨＥ１は切断方向Ｄの前方にあって、鋸身２０を厚み方向に斜めに横断するように形成されている。後横刃ＨＥ１は切断方向Ｄの後方に位置する。
前横刃ＨＥ１の刃角は先端傾斜カット面４４と前縦刃ＶＥ１の刃面を構成する側面４２との交差角となる。この交差角は９０度未満とする。前横刃ＨＥ１と前記前縦刃ＶＥ１とは台形柱状歯４０の刃先Ｐで合流する。
【００３６】
台形柱状歯４０で削り取られた切粉は、その台形柱状歯４０の前方の隙間Ｓに一旦残留する。しかし各歯４０の隙間Ｓは、上記した構成により隙間Ｓの底に至るまで十分な隙間が窄まることなく確保されている。よって切粉が経時的に隙間Ｓの底に押し詰まることによる鋸の切れ味の低下は生じず、良好な切れ味を持続させることができる。
台形柱状歯４０の場合は三角柱状歯３０に比べて、歯自体の強度を上げることが可能であるが、鋸身２０の長手方向に歯の幅を取り易い。
台形柱状歯４０を用いた手鋸の他の作用効果は、三角柱状歯３０を用いた手鋸について上述した作用効果と同じである。
【００３７】
図７を参照して、本発明の第３実施形態を説明する。
既述した第１実施形態及び第２実施形態に係る手鋸の場合は、柱状歯３０、４０を直角柱状歯として、三角柱状歯３０や台形柱状歯４０が鋸身２０の長手方向側縁２１の縁面２１ａから垂直の立ち上がり角度θをもって立ち上がる手鋸を示した。
第３実施形態では、斜角柱状歯５０が鋸身２０の長手方向側縁２１の縁面２１ａから傾斜した立ち上がり角度θをもって立ち上がる手鋸を示す。
斜角柱状歯５０の立ち上がり角度θは９０度の垂直の他、垂直から手鋸の切断方向Ｄに多少傾いた一定の角度とする場合が多いが、立ち上がり角度θを一定とすることで、各隣接する斜角柱状歯５０、５０間の隙間Ｓを歯５０の立ち上がり方向に一定とすることができる。これによって隙間Ｓが歯の裾部に向かって窄まることなく、且つ十分な寸法の隙間Ｓを確保することができる。
前記斜角柱状歯５０の立ち上がり角度θは必ずしも限定されるものではないが、垂直方向（９０度）から±３０度以内とするのが好ましい。
斜角柱状歯５０を供えた第３実施形態の手鋸の他の特徴は、上記第１実施形態の手鋸と同じである。
第１実施形態における直角三角柱状歯３０の３０台の符合で示す側面３１、３２、３３、先端傾斜カット面３４、側辺３０ａ、３０ｂ、３０ｃ、縁辺３４ａ、３４ｂ、３４ｃは斜角三角柱状歯５０の側面５１、５２、５３、先端傾斜カット面５４、側辺５０ａ、５０ｂ、５０ｃ、縁辺５４ａ、５４ｂ、５４ｃにそれぞれ対応する。
また隙間Ｓ、縦刃ＶＥ１、ＶＥ２、横刃ＨＥ１、ＨＥ２、頂点Ｐについては第１実施形態の場合と同じ符号としている。
【００３８】
図８を参照して、本発明の第４実施形態を説明する。
この第４実施形態の手鋸は、角柱状歯を三角柱状歯（図８（Ａ）参照）や台形柱状歯（図８（Ｂ））としている点は、上記第１実施形態や第３実施形態に係る三角柱状歯３０や５０、第２実施形態に係る台形柱状歯４０と同じである。
その一方、本第４実施形態に係る手鋸では、三角柱状歯６０、６０（図８（Ａ）参照）、台形柱状歯７０、７０（図８（Ｂ）参照）の配置を比較的密にしている。このため鋸身２０の長手方向において、後の歯６０（７０）の前端６０ｆｅ（７０ｆｅ）が前の歯６０（７０）の後端６０ｒｅ（７０ｒｅ）よりも前に位置する構成となっている。このため隙間Ｓも、そのかなりの部分が歯６０（７０）の背後に隠れる構成となっている。しかしながら、このような構成においても、隙間Ｓは歯６０（７０）の立ち上がり方向に一定の広さを維持し、隙間Ｓが歯の付け根方向に向けて窄まることがない。このような第４実施形態に係る手鋸も本発明の範囲に属する。
【００３９】
図９を参照して、本発明の第５実施形態を説明する。
この第５実施形態の手鋸の場合も、角柱状歯を三角柱状歯（図９（Ａ）参照）や台形柱状歯（図９（Ｂ））としている点は、上記第１実施形態や第３実施形態に係る三角柱状歯３０や５０、第２実施形態に係る台形柱状歯４０と同じである。
その一方、本第５実施形態に係る手鋸では、三角柱状歯８０（図９（Ａ）参照）の三角、台形柱状歯９０（図９（ｂ）参照）の台形は、形状が小さく、鋸身２０の表側面２０ａから裏側面２０ｂに跨る大きさの三角や台形とはなっていない。
このような鋸身２０の表・裏側面２０ａ、２０ｂに跨らない三角柱状歯８０、台形柱状歯９０の場合であっても、角柱状歯としての機能は備える点で、本発明の手鋸に用いられる歯と言える。
ただし、このような鋸身２０の厚み方向に全域に形成されない三角柱状歯８０、台形柱状歯９０は、それらの先端傾斜カット面に構成される横刃ＨＥ１、ＨＥ２も鋸身２０の厚み方向の全域には形成されないので、横切ＨＥ１、ＨＥ２によっては切れない部分が鋸身２０の厚み内に生じる。このことは、手鋸の切れ味そのものの低下につながる。
従って各三角柱状歯８０、台形柱状歯９０の三角や台形の大きさは、図９（Ａ）、（Ｂ）に示すように、少なくとも鋸身２０の厚み方向の半域を超える大きさであるのがよい。
三角柱状歯８０、台形柱状歯９０の三角や台形の大きさが鋸身２０の厚み方向の半域を超えるものであれば、それら各三角柱状歯８０や各台形柱状歯９０が左右交互に対向して配置されることで、各前後する２つの歯８０、８０（９０、９０）を一対として、鋸身２０の厚み内に切れない部分が生じることがなくなる。
勿論、図２（Ａ）、図４（Ａ）、図６（Ａ）、図７（Ａ）に示される三角柱状歯３０、５０、６０や台形柱状歯４０のように、三角や台形が鋸身２０の厚み方向の表側面２０ａから裏側面２０ｂに至る全域に跨って形成されたものが好ましいと言える。
【００４０】
本発明の各実施形態に係る手鋸の各部の寸法関係の許容範囲等について説明を加える。
先ず各角柱状歯３０（４０、５０）の鋸身２０の長手方向側縁２１の縁面２１ａからの立ち上がり角度θについて言及する。この立ち上がり角度θは、例えば９０度（垂直）、或いは長手方向に一定角度だけ傾いた一定角度とすることができる。しかし、この一定の立ち上がり角度θは、配列される全ての角柱状歯３０（４０、５０）に対して厳密に正確な角度として求められるものではない。配列される各角柱状歯３０（４０、５０）に対して、その立ち上がり角度θは±１０度以内の差である場合には、これを許容範囲として、一定の立ち上がり角度θに含むものとする。各角柱状歯３０（４０、５０）における立ち上がり角度θの±１０度以内の差は、隣接する角柱状歯３０（４０、５０）間の隙間Ｓにおいて、該隙間Ｓの立ち上がり方向における２０度以内での拡大、或いは縮小となって現れる。しかし、その程度のズレ範囲内では、切粉が歯間の隙間Ｓへ押し詰まるという悪影響は生じず、鋸の切れ味に悪影響を及ぼさない。
その他、立ち上がり角度θが、鋸身２０の長手方向に徐々に変化するように各角柱状歯３０（４０、５０）を配列した手鋸の場合は、鋸身２０の長手方向両端にある歯同士の立ち上がり角度θは大きく異なることが予想される。その一方、相互に隣接する角柱状歯３０（４０、５０）においては、その立ち上がり角度θはほとんど同じである。このような場合には、隣接する角柱状歯３０（４０、５０）間の隙間Ｓは、歯の立ち上がり方向に実質的一定であると言える。本発明はこのような歯の配列構成もその範囲に含む。
【００４１】
前記隣接する各角柱状歯３０（４０、５０）間の隙間Ｓについて言及する。この隙間Ｓについても、該隙間Ｓは立ち上がり方向に一定とするが、角度２０度以内の拡大と角度２０度以内の縮小を許容範囲として、前記一定に含むことができる。各角柱状歯３０（４０、５０）の立ち上がり角度θが±１０度以内の差である場合には、これに伴って各角柱状歯間の隙間Ｓが、立ち上がり方向に角度として２０度以内で拡大し或いは縮小することになるからであるが、その程度の範囲内の隙間Ｓの拡大、縮小では、切粉が歯間の隙間Ｓへ押し詰まるという悪影響は生じず、鋸の切れ味に悪影響を及ぼさない。
【００４２】
前記角柱状歯３０（４０、５０）における立ち上がり角度θの差は、±５度以内とするのがより好ましい。即ち、角柱状歯３０（４０、５０）における立ち上がり角度θは±５度以内の許容範囲を含めて一定とするのがより好ましい。これに伴い、隣接する各角柱状歯３０（４０、５０）間の隙間Ｓは、立ち上がり方向に角度１０度以内の拡大と角度１０度以内の縮小を含めて一定とするのが好ましい。各角柱状歯間の隙間Ｓの変化が、立ち上がり方向に角度１０度の許容範囲内にあれば、切粉の歯間隙間Ｓへの押し詰まりを十分効果的に防止することができ、鋸の切れ味を十分良好に保持することができる。よって、このような許容範囲にある角柱状歯を用いた手鋸も本発明の範囲に属する。
【００４３】
各角柱状歯３０（４０、５０）の各側面３１、３２、３３（４１、４２、４３、４５、５１、５２、５３）の各両側辺３０ａと３０ｃ、３０ａと３０ｂ、３０ｂと３０ｃ（４０ａと４０ｃ、４０ａと４０ｂ、４０ｂと４０ｄ、４０ｃと４０ｄ、５０ａと５０ｃ、５０ａと５０ｂ、５０ｂと５０ｃ）は相互に平行に構成する。しかし完全な平行でなくとも、平行から±１０度以内の交差角度で傾いて立ち上がるようにした構成でもよいものとする。即ち、各側面の両側辺が平行から±１０度以内の交差角で傾いて立ち上がる場合も許容するものとする。
角柱状歯３０（４０、５０）は、厳密に言えば、各側面の両辺が全て平行である必要があるが、平行から多少ずれていても、平行からのズレが±１０度以内であれば、角柱状歯としての形状の特徴を発揮することができ、切粉が歯間隙間への押し詰まるという悪影響は生じず、鋸の切れ味に悪影響を及ぼさない。よってこのような範囲も本発明の角柱状歯に属する。
【００４４】
各角柱状歯３０（４０、５０）の各側面３１、３２、３３（４１、４２、４３、４５、５１、５２、５３）の各両側辺３０ａと３０ｃ、３０ａと３０ｂ、３０ｂと３０ｃ（４０ａと４０ｃ、４０ａと４０ｂ、４０ｂと４０ｄ、４０ｃと４０ｄ、５０ａと５０ｃ、５０ａと５０ｂ、５０ｂと５０ｃ）は、相互に平行か、平行でなくても、平行から±５度以内の交差角で構成されているものが好ましい。角柱状歯の角柱の立ち上がり方向への縮小或いは拡大が、５度以内の範囲に収まる場合には、角柱状歯としての形状の特徴を十分に発揮することができ、切粉が歯間隙間への押し詰まりを十分効果的に防止できると共に鋸の切れ味を十分良好に保持することができるからである。
【００４５】
なお、鋸身２０そのものの厚みを、歯３０、４０、５０、６０、７０、８０、９０が形成される鋸身の縁付近において、鋸身の腹部よりも若干厚くなるように構成する場合がある。これは切断作業の際に鋸身２０と被切断体との摩擦を減じるための構成である。この様な構成を採用した場合には、歯３０、４０、５０、６０、７０、８０、９０の形状が、歯の付け根から歯の先端に向けて、若干ではあるが、キノコ状に広がる、キノコ形状の角柱歯となる。このようなキノコ形状の角柱歯も本発明に係る角柱状歯に属するものとする。
【産業上の利用可能性】
【００４６】
本発明の手鋸は、木材、プラスチック等の被切断体を手動で切断する手段とし、産業上の利用可能性がある。
【符号の説明】
【００４７】
１０            グリップ体
２０            鋸身
２０ａ          鋸身の表側面
２０ｂ          鋸身の裏側面
２１            鋸身の長手方向側縁
２１ａ          鋸身の長手方向側縁の縁面
３０            三角柱状歯
３０ａ〜３０ｃ  三角柱状歯の側辺
３１            三角柱状歯の面一側面
３２、３３      三角柱状歯の側面
３４            先端傾斜カット面
３４ａ〜３４ｃ  縁辺
４０            台形柱状歯
４０ａ〜４０ｄ  台形柱状歯の側辺
４１            台形柱状歯の面一側面
４２、４３      台形柱状歯の側面
４４            先端傾斜カット面
４４ａ〜４４ｄ  縁辺
４５            台形柱状歯の第２面一側面
５０            斜角柱状歯
５０ａ〜５０ｃ  斜角柱状歯の側辺
５１            斜角柱状歯の面一側面
５２、５３      斜角柱状歯の側面
５４            先端傾斜カット面
５４ａ〜５４ｃ  縁辺
６０            三角柱状歯
６０ｆｅ        前端
６０ｒｅ        後端
７０            台形柱状歯
７０ｆｅ        前端
７０ｒｅ        後端
８０            三角柱状歯
９０            台形柱状歯
α１、α２      面一側面に対する隣接する両側面の交差角
θ              立ち上がり角度
Ｄ              切断方向
Ｐ              頂点
Ｓ              隙間
ＶＥ１          前縦刃
ＶＥ２          後縦刃
ＨＥ１          前横刃
ＨＥ２          後横刃
【図１】
0005985086.tif 000002
【図２】
0005985086.tif 000003
【図３】
0005985086.tif 000004
【図４】
0005985086.tif 000005
【図５】
0005985086.tif 000006
【図６】
0005985086.tif 000007
【図７】
0005985086.tif 000008
【図８】
0005985086.tif 000009
【図９】
0005985086.tif 000010
【図１０】
0005985086.tif 000011
【図１１】
0005985086.tif 000012
【図１２】
0005985086.tif 000013